(57)【特許請求の範囲】
【請求項１】
汚物と大鋸屑を撹拌するハンドル付シャフト上に複数の爪を設けたバイオトイレの撹拌機であって、バイオトイレの回転するシャフト上の両端に、大鋸屑を容器中央に押し返す事の出来るＬ型アングル形状の爪部材を有し、回転するシャフト上にひねり傾斜角度を持つ平板状の攪拌爪部材を有し、ひねり傾斜角度を持つ平板状の攪拌爪部材の一端中央を切断し裏と表に曲げ、大鋸屑が圧迫され目詰まりした容器底面角の円形状に沿った反り上がる形状に曲げ、目詰まりした大鋸屑を取り除く爪部とした事を特徴とするバイオトイレの撹拌機。
【請求項２】
ひねり傾斜角度を持つ平板状の攪拌爪部材のシャフト取り付け方向の平板両側面を鋭利と
したことを特徴とする請求項１のバイオトイレの攪拌機。
【発明の詳細な説明】
【技術分野】
【０００１】
本発明は、ポータブルバイオトイレの大鋸屑を撹拌する撹拌機に関するものである。 
【背景技術】
【０００２】
近年バイオトイレが山小屋、観光地のトイレとして、下水管の普及していない場所での活用が進み目に付くように有ってきている。
【０００３】
身の周りに有る物質は主に鉱物、有機物等で構成された物で鉱物以外の全ての有機物は、時間の経過とともに自然界に存在する分解菌、好気性分解菌、嫌気性分解菌で二酸化炭素、メタンガス、水蒸気等に分解され空気中に拡散します。
【０００４】
分解菌には大きく分けて空気中の酸素に触れると活性が衰える嫌気性分解菌と空気中の酸素を得て活発に活性する好気性分解菌とに分かれ存在しています。
【０００５】
この相反する分解菌が存在し、空気中で酸素を得て有機物を活発に分解する好気性分解
菌で分解されると、二酸化炭素と水蒸気になり無臭で空気中に拡散します。
【０００６】
密封された容器場所、例えば地中、水中等で酸素が少ない場所、空気に触れにくい場所では、嫌気性分解菌が活発に活性し有機物をメタンガスと水蒸気に分解しメタンガスの腐敗悪臭が出て拡散します。
【０００７】
人が排泄した汚物を放置すると、空気に触れる汚物表面一端は好気性分解菌が分解するが、殆どは空気に触れない内部から嫌気性分解菌が活性して分解が始まりメタンガスと水蒸気となり空気中に放出し、この時メタンガスの悪臭が出て拡散します。
【０００８】
この為、携帯トイレ等を使用した災害時等では悪臭が漏れないように汚物を密封した袋に入れて保管するが、時間の経過とともに嫌気性分解菌メタン菌が活発に汚物を分解し、袋が膨張し膨らみ漏れ出し保管場所周囲が悪臭となります。
【先行技術文献】
【特許文献】
【０００９】
【特許文献１】特開2019-118730
【発明の概要】
【発明が解決しようとする課題】
【００１０】
網目容器を用いたポータブルバイオトイレでは、汚物を好気性分解菌で分解されるとき、網目容器である事で通気性が良く、分解時発生する水蒸気や二酸化炭素の拡散が優れ水蒸気の停滞が無く結露が出来ない優れた特徴を有していたが、汚物にまみれた大鋸屑を撹拌する時、撹拌爪で大鋸屑をかき回すが大鋸屑が容器に押され圧迫され網の目が詰まり通気性が悪くなり、汚物分解時に発生する二酸化炭素、水蒸気が空気中に拡散することが出来ず、大鋸屑が結露となり水分過多に陥り好気性分解菌の活性が衰える原因があった。
【００１１】
この為、通気性が悪くなると好気性分解菌が衰え代わりに嫌気性分解菌が活性し、網目容器内にメタンガスが発生して悪臭がバイオトイレ周辺に拡散する問題点があった。
【００１２】
本発明は、網の目の容器が大鋸屑で目詰まりを起こした大鋸屑を取り除くとともに、目詰まりの原因となる網目への大鋸屑が圧迫されるのを解消し、通気性を保った網の目の容器を維持する撹拌爪を提供する事に有る。
【課題を解決するための手段】
【００１３】
本発明は、撹拌時、攪拌機で大鋸屑を掻き回し押し出される時、網目容器側面に大鋸屑が押され寄ってくる大鋸屑を押し返すＬ型アングル形状の攪拌爪部材と、撹拌されずに固形物となっている汚物を切断できる鋭利の部分を設けると供に、網目容器底に撹拌時大鋸屑が押され網目に圧迫された目詰まりを起こした大鋸屑を掻き出す取り除く事が出来る形状の反り上がった爪を併せ持つ、ひねり傾斜角度を持つ平板状の撹拌爪部材としたものである。
【発明の効果】
【００１４】
網目容器側面に撹拌時爪で押され寄ってくる大鋸屑を押し返す攪拌爪を容器側面際に設け、網の目容器側面の通気性を保つことが出来、攪拌爪平板部が傾斜する形状とした事で大鋸屑全体をかき混ぜ押し出す事や押し返す事が出来る爪となり、平板両端部に鋭利な部分を設け固形汚物を切断し又、網目容器底周辺等に目詰まりを起こした大鋸屑を取り除く撹拌爪とした事で、容器内の通気性が保たれ、好気性分解菌の活性で汚物分解時発生する水蒸気の停滞を解消する通気性の優れたバイオトイレ容器となり汚物分解速度が速くなる、ポータブルバイオトイレとなった。
【図面の簡単な説明】
【００１５】
【図１】本発明の攪拌爪を搭載したバイオトイレの全体斜視図。
【図２】本発明の攪拌爪を搭載したバイオトイレの大鋸屑と一部爪を表した斜視図。
【図３】本発明の攪拌爪をシャフト上に設けた攪拌爪。
【図４】本発明の攪拌爪を網目容器に設けてある軸受け部の部分拡大状況斜視図。
【図５】本発明の攪拌爪を網目容器に設けてある部分拡大斜視図。
【図６】本発明のＬ型アングル状の攪拌爪シャフト付け根を大きくして用いる斜視図である。
【図７】本発明の平板状の攪拌爪で爪一端を反り上がる形状とした攪拌爪である。
【図８】ハンドルを回す為の補助レバー収納状態の状況斜視図。
【図９】ハンドルを回す為の使用時の補助レバー状況斜視図。
【図１０】鋭利となっている平板がシャフトに直角に取付されている図で上部がひねり傾斜が付いた平板の撹拌爪。
【図１１】汚物切断する平板両側面を鋭利とした部分を表わした下方から見た斜視図。
【発明を実施するための形態】
【００１６】
図1、は本発明の攪拌機を搭載したポータブルバイオトイレの斜視図であり、図2は、バイオトイレ容器内の大鋸屑と攪拌爪一部を表した斜視図である。
【００１７】
図3に描き記載しているように、シャフト上に設けている網目容器内両側に設けている撹拌機は、90度の傾斜を有するＬ型アングル形状の攪拌爪部材として設けているものである。
【００１８】
網目容器内両側面側に設けているＬ型アングル形状の撹拌爪部材の間に設けている複数の撹拌爪部材は、平板の上部は傾斜を有するもので、下部板の平板両側面を鋭利な面とし下端は網目容器角の円形部に沿って反り上がった形状の爪で、反り上がった部分が容器の目詰まりを起こした大鋸屑を取り除く爪部材で図3.4.7.10.11の斜視図である。
【００１９】
Ｌ型アングル形状の爪部材と反り上がった形状の爪図７を網目容器内の大鋸屑の撹拌爪として用いる事で、容器が大鋸屑で目詰まりをするのを解消し通気性が優れたバイオトイレが出来た。
【実施例】
【００２０】
本発明のバイオトイレに用いる撹拌機を実施例に記載するが、大きさや寸法材質等には囚われるものではない。
【実施例１】
【００２１】
本発明の攪拌機を用いたポータブルトイレの実施例の全体斜視図、図1ではバイオトイレ大鋸屑収納容器は、幅約40cm高さ28 cm奥行38 cmの容器で下部角が円形状で、材質亜鉛メッキスチールメッシュの大鋸屑が網目から漏れない大きさの網の目容器であり、容器内両側側面に、攪拌機となるハンドル付シャフトを受ける軸受を設置されたバイオトイレ容器としたものである図4。
【００２２】
上記記載の容器内に設けたシャフト軸受部材に、撹拌爪を設けたハンドル付シャフトを取り付けたバイオトイレの撹拌機である図3。
【００２３】
図4には本発明の攪拌機を搭載した攪拌シャフトを平行に二連設けてあるバイオトイレの網の目容器の部分拡大斜視図である図4.5。
【００２４】
参考文献記載の従来のポータブルバイオトイレの攪拌爪は、シャフト上にシャフトに対して90度で取り付けしたひねり傾斜の無い平板状の爪であった。
【００２５】
二連平行に設けた撹拌機の平板状の爪同士で、汚物と大鋸屑を擦れ合わせしながら攪拌するものであった。
【００２６】
汚物と大鋸屑を擦れ合わせ攪拌するトイレの攪拌機能であった為、攪拌機のハンドルを回す時、健常者は抵抗なく攪拌するハンドルを回して排泄時使用ができるが、高齢者の要介護者が使用した場合はハンドルが重く、ハンドルを回すことが出来ないお年寄等がいた。
【００２７】
本発明の撹拌機のひねり傾斜角度を持つ平板状の撹拌爪部材とすることで、大鋸屑をかき回す時、従来の傾斜角度のない平板状の爪と異なり、大鋸屑が傾斜の付いた平板面の部分に押し出され、かき回され大鋸屑が左右何方かに移動し大鋸屑全体が攪拌される。
【００２８】
本発明は、ひねり傾斜角度を持つ平板状の撹拌爪部材としたことで、擦れながら攪拌する従来の攪拌機より、攪拌シャフトについているハンドルを回す力が小さくても良く握力等が衰えた高齢者が容易に使用出来る、攪拌効率の良いバイオトイレの爪としたものである。
【００２９】
従来の攪拌爪は回転する時、撹拌爪が当たる部分のみ大鋸屑が撹拌され、撹拌されずに残る大鋸屑の場所が容器内に出来る欠点があった。
【００３０】
容器内の攪拌爪から離れた大鋸屑は攪拌漏れとなり長期間使用しているうちに網目を塞ぐ壁となり通気性を阻害していた。
【００３１】
本発明の攪拌爪を、従来のシャフト上に設けてある傾斜角度のない平板状の爪と替え、又、網目容器内両側、側面の攪拌爪をシャフトが回転すると、大鋸屑を容器中央に押し返す事の出来る90度の傾斜を有するＬ型アングル形状の爪部材とした事でハンドル回転操作時にはどちらの方向に回転させても、絶えず側面の網面周囲から大鋸屑を容器中央に押し返す事が出来、側面の網の目が大鋸屑の圧迫による目詰まりができない通気性を確保できる容器となった。
【００３２】
シャフト上両側に設けたＬ型アングル形状の撹拌爪部材間に、設けた撹拌する複数の撹拌爪部材は、平板の部材から成り、ハンドル方向から見た時、時計方向の回転時には大鋸屑をハンドル側からシャフト軸受側に押し出し、逆回転時には、軸受側からハンドル側に大鋸屑を押し返す傾斜角度を持った平板の撹拌爪部材とした事を特徴とするもので、容器内大鋸屑全体をかき混ぜ大鋸屑を中央に寄せ集めたり、押し返し、押し戻したりが出来る撹拌爪としたものである。
【００３３】
さらに、シャフト上に設けた平板状の撹拌爪部材先端は、爪が回転し大鋸屑をかき回す押し出す時、網目容器に大鋸屑が押され圧迫され網の目が大鋸屑で詰まり、容器内の通気性が悪くなるのを防ぐ為、爪先端を反り上がる形状とし目詰まりを起こした網目容器から大鋸屑を掻き出す取り外す事の出来る網目容器の底角、円形部に沿った形状の反り上がりの爪としたもので、収納されている大鋸屑全体全てを攪拌時するとともに、攪拌漏れによる大鋸屑が容器にへばり付き通気性を阻害する壁が出来なくしたものである。
【実施例２】
【００３４】
実施例2では、より詳しく記載するが、必ずしも記載の通りではなくても攪拌爪の効果が得られるのであれば、シャフト上の爪の数、配置等にはこだわらなくとも大鋸屑の顆粒の大きさ形状などを考慮して変えられるものでもある。
【００３５】
図1.2に用いられているトイレ容器の大きさは、網目容器幅は、約40.0cmで両側に攪拌機のシャフトを受ける軸受け部材を設けています。
【００３６】
撹拌機のシャフトの長さは48.5cmシャフト太さ9ｍｍの丸鋼のシャフトである。
【００３７】
本発明の撹拌機の爪部材は、このシャフト一方に、シャフトを手動で回す丸形のハンドルを設けたもので、ハンドルの大きさは、外径41.0cmのスチール製の太さ１５mmのパイプを用いたハンドルとしハンドルの一端にハンドルを回す補助レバーを設けています。
【００３８】
シャフト両側に設けた爪部材は、シャフトがハンドル方向から見て時計方向に回転し、又は逆方向回転しても、大鋸屑を容器中央に押し返す事の出来る90度の傾斜を有するＬ型アングル形状の爪部材で材質はスチール製厚さ2ミリ幅5.0cmを2.5cm×2.5cmで90度折り曲げしたＬ型状の攪拌爪とした長さ10.5cmのものである。
【００３９】
両側のＬ型アングル形状攪拌爪に挟まれシャフト上に設けた平板状の攪拌爪は、長さ10.5cm厚さ2.0ｍｍ幅2.5cmのスチール製材質の平板の部材でシャフトに溶接後、シャフト上1.5cmの位置から約45度ひねり傾斜角をつけた平板の攪拌爪としています。
【００４０】
このひねり傾斜した平板面が回転する時大鋸屑を押し出しかき回して、汚物と大鋸屑を効率よく攪拌します。
【００４１】
ハンドルを回して大鋸屑を攪拌するが、時計方向に回すとハンドルの向い方向軸受け方向に大鋸屑がかき回され攪拌され押されて移動して行きます。
【００４２】
ハンドルを逆回転すると軸受け方向からハンドル方向に大鋸屑が攪拌されながら移動し近寄ってきます。  
【００４３】
このように攪拌されながら移動して容器側面に寄ってくる大鋸屑を、アングル形状の爪部材で押し返し側面網の目詰まりを防ぐ攪拌爪を容器側面側に設けた本発明の攪拌爪である。
【００４４】
本発明の上記記載の平板状攪拌爪のひねり角度は約45度として用いているが、用いる大鋸屑の顆粒の大きさなどに適したひねり角度として65度位までならどの角度にしても良いが、大鋸屑の大きさ粗さに適したひねり角度にして用いるが、65度以上大きくした場合は一回転での撹拌効率が良くなるが大鋸屑との間の摩擦抵抗が大きくなり攪拌する回転時ハンドルが重くなる為使用する人健常者、要介護者等の使用者に合わせて適したひねり角度、及び平板幅を決め用いる。
【００４５】
平板状の攪拌爪で大鋸屑がかき回され押され移動する時、網の目の容器底周囲に大鋸屑の一部が突き刺さり目詰まりを起こしていた。
【００４６】
この目詰まりを解消するため、平板状の撹拌爪部材下端は、大鋸屑が押され圧迫され網の目が大鋸屑で詰まり、通気性が悪くなるのを防ぐ為、爪先端を反り上がる形状とし目詰まりを起こした大鋸屑を掻き出す除く事の出来る網目容器角底の円形形状に沿った反り上がる形状の爪としたものである。
【００４７】
網目容器から大鋸屑を掻き出す取り除く事の出来る反り上がる形状の爪は、平板状の攪拌爪下端から約2.0cm程上の位置から網の目の容器の底の円形状角に沿って裏表に反り上げ曲げた形状としている。
【００４８】
平板状の厚さ2mmの攪拌爪下端中心からから約2.0cm程上の位置まで切断し、切断された板状の攪拌爪一端を裏面と表面に曲げ網の目の容器に沿って反り上げ曲げた形状としている図7。
【００４９】
切断された下端は、裏面と表面を容器に沿って反り上げ曲げた攪拌爪としている。
【００５０】
攪拌爪先端が回る方向時容器底曲面に沿って回る事で目詰まりを起こした大鋸屑を取り除きながら回転するため目詰まりの解消ができる。
【００５１】
同じく逆回転した時も、攪拌爪裏面の先端が反り上がっている為、目詰まりを解消できる攪拌爪となっている。
【実施例３】
【００５２】
実施例3では、本発明のＬ型アングル形状の攪拌爪を図6に記載して以下説明する。
【００５３】
シャフト両側、容器側面側に設けてあるＬ型アングル形状の攪拌爪部材は、シャフト付け根の方が広く大きく他方は幅が狭くなっているＬ型アングル攪拌爪部材である。
【００５４】
本攪拌爪を搭載した攪拌使用試験状況を試みた時、握力や腕の力が衰えた高齢者が使用する場合には本発明の実施例1.2に記載している攪拌爪でも良いが、例えば、災害時複数の方が一度に使用する場合は、短時間に汚物が分解ができるように攪拌率上げる事が求められる。
【００５５】
対応策として、汚物にまみれた大鋸屑を一回転で効率よく空気にさらし発生する水蒸気を素早く大鋸屑から放出させ飛ばす、拡散させることが求められてくる。
【００５６】
その為には、網目容器シャフト周囲にある大鋸屑の攪拌を多くし空気に触れさせる事である。
【００５７】
平板攪拌爪シャフト付け根を大きくし一回転で大鋸屑をかき回し押し出す攪拌爪に触れる面を多くすることで大鋸屑の押し出す量が増え、実施例1.2に記載している攪拌機より回す際多少重くなるが、攪拌効率が良くなる爪部材図6.7である。
【００５８】
又、実施例１．２に記載した平板状の攪拌爪を図6.7の攪拌爪に置き換え根元が大きい広い平板状の攪拌爪として複数の人が用いるトイレとして用いる。
【００５９】
網目容器付近の大鋸屑は比較的空気に触れやすく水蒸気の拡散が得られていたが、この攪拌爪を用いる事で、シャフト周囲中心部の大鋸屑も多くかき回され空気に触れる事が出来、実施例1.2より攪拌時の水蒸気の拡散が良い攪拌爪となった。
【００６０】
容器の通気を妨げる要因を最大限少なくすることで好気性分解菌が空気に触れる面を多く確保できる攪拌爪となる。
【００６１】
少量の大鋸屑で汚物分解が可能となり、同時にポータブルバイオトイレのさらなる小型化に繋がり、又小さな回す力で大鋸屑全体を攪拌かき回す事が出来、汚物の分解速度が速くなる利点がある攪拌爪である。
【実施例４】
【００６２】
実施例4では、大鋸屑を押しだす、押し返す傾斜を持った平板状の撹拌爪の下部、形状を詳しく記載する。
【００６３】
大鋸屑を押し出す、押し返す傾斜を持った平板状の撹拌爪は、シャフトに溶接取付した位置より上部2cm程上を約45度ひねり爪が回転すると押しだし、押し返す傾斜面を持たせたもので、下部は溶接されたシャフトからの平板下部長さは約4cmでひねりの無い平板でシャフトに対して90度と成、平板厚さ2mmの両端部は固形汚物を切断できる鋭利な端部としたものである図10.11。
【００６４】
実施例1.2に記載したように収納されている容器内の大鋸屑全体を平板状の撹拌爪で大鋸屑と汚物を良く撹拌できるが、中には硬い汚物の場合は汚物を砕くことが出来ず、大鋸屑にまみれ固型物のまま撹拌されていた物もあった。
【００６５】
固形物のまま左右に転がりながら攪拌されて、容器外側から中央シャフト寄りに転がってくると、上記記載した鋭利な平板端部で切断破砕される。
【００６６】
記載したシャフトからの鋭利な端部板の長さ約4cmとしているが、必ずしもこの長さにこだわらなくとも、使用する大鋸屑の大きさ形状、使用する物の種類、広葉樹、針葉樹等で、回転時の負荷が異なる為これらに適した長さとしても良い。
【００６７】
図10.11に記載しているように、ひねり傾斜角度を持った平板撹拌爪下部を曲げずに、板面両端を研磨し鋭利の面として、固形汚物を切断砕く機能を持たせた爪としたものである。
【００６８】
シャフトに取り付けた平板撹拌爪下部を長くし切断機能を設ける事で、ハンドルを回す時、実施例1.2の状態の平板撹拌爪より若干重くなるが、硬い汚物の破砕撹拌には適した爪となる。
【実施例５】
【００６９】
実施例5では、バイオトイレ使用手順及び、攪拌する為のハンドルについて以下説明する。
【００７０】
ポータブルバイオトイレ図1の便座符号3に腰掛け排泄時、両側のハンドル符号2を回し排泄された汚物を攪拌しながら使用する。
【００７１】
排泄と同時にハンドルを回すことにより汚物が大鋸屑内に沈下する事で、排泄時発生している汚物からの匂いの発生が出ない優れた特徴を有している。
【００７２】
使用後便座符号３を持ち上げ図２、し尿容器符号4に溜まったし尿を捨てるためにし尿容器を取り出してし尿を捨てる。
【００７３】
攪拌する為のハンドル符号2に設けてあるハンドルを回す補助レバー図8.9符号17で
容器内の大鋸屑をかき回す。
【００７４】
補助レバー符号17はハンドルを前後に回すことのできるレバーで、容器内の大鋸屑の攪拌状況を見て使用するもので、通常はハンドルをシャフトに支える支持部材に磁石で付着し収納されている図8。
【００７５】
攪拌後、し尿容器を戻し便座蓋を閉ずる。
【００７６】
上記記載したように、ハンドルを回す補助レバーを設けた事で、撹拌するのが軽く簡単に回す事が出来、高齢者に優しい使いやすいトイレとなった。
【産業上の利用可能性】
【００７７】
本発明のバイオトイレの撹拌機の爪を用いると、小さな力でも攪拌効率が良いバイオトイレと成り又、従来のバイオトイレ容器より通気性が優れた容器となった為に、超小型の軽いバイオトイレの製作が可能となったもので、市販要介護者が用いている、ポータブルトイレと異なり汚物からの室内にこもる匂いの発生がない、自分が排泄したものを見ることなく処理でき介護者に頼ることなく、威厳を持ち自立して生活していけるこれから進む高齢者が必要とするポータブルトイレになる。
【符号の説明】
【００７８】
1  網目の容器
2  ハンドル
3 便座
4 し尿受ける容器
5  網目容器を受け支えるパイプフレーム
6  シャフト
7  Ｌ型アングル形状の攪拌爪部材
8 ひねり傾斜角度を持つ平板状の撹拌爪部材
9  反り上がる形状の爪部  
10 大鋸屑
11軸受け部材
12ハンドルを回すレバー
13し尿ガイド桶
14網目容器を支えパイプフレームに取り付ける部材
15シャフトを通し穴
16弁座フタ
17ハンドルを回す補助レバー
18し尿容器
19ひねり傾斜した面
20汚物を切断破砕する鋭利となっている部分
【要約】
【課題】 ポータブルバイオトイレは、匂わない、汚物が増えない等の優れた特徴を有しているが、通気性が悪くなると汚物分解時発生する水蒸気が大鋸屑に結露となり悪臭の元となる課題を有していた。
【解決手段】 本発明のバイオトイレの攪拌爪は、網の目の容器が大鋸屑で目詰まりを起こし通気性が悪くなったバイオトイレ容器の目詰まりの大鋸屑を取り除き解消し、固型の汚物を切断破砕する事のできる攪拌爪の形状としたものである。
【選択図】  図5【図１】
0006685582.tif 000002
【図２】
0006685582.tif 000003
【図３】
0006685582.tif 000004
【図４】
0006685582.tif 000005
【図５】
0006685582.tif 000006
【図６】
0006685582.tif 000007
【図７】
0006685582.tif 000008
【図８】
0006685582.tif 000009
【図９】
0006685582.tif 000010
【図１０】
0006685582.tif 000011
【図１１】
0006685582.tif 000012